(57)【要約】【課題】ディスプレイ台として兼用することができ、しかも充電完了後速やかに充電式移動玩具を使用状態に移すことができる充電式移動玩具の充電装置を提供する。【解決手段】充電装置１は、底壁部５と上壁部７との間に充電回路が配置された内部空間を有する台２と、この台２に対して固定されて上壁部７の表面側から接触可能な状態に配置された一対の充電用電極３１と、上壁部７に設けられて、充電式移動玩具の位置決めをするために充電式移動玩具の一部と係合する係合用突出片５３，５５，５７と、充電選択構造９０とを備えている。充電選択構造９０を、ディスプレイ時には充電式移動玩具の充電を阻止し、充電式移動玩具を充電する充電時にだけ一対の充電用電極３１と一対の被充電用電極８３とを電気的に接続して充電を可能にするように構成する。【選択図】　図７
2004147367.tif 000002
【特許請求の範囲】
【請求項１】
底壁部と上壁部との間に充電回路が配置された内部空間を有する台と、
前記台に対して固定されて前記上壁部の表面側から接触可能な状態に配置された一対の充電用電極と、
前記上壁部に設けられて、充電式移動玩具の位置決めをするために前記充電式移動玩具の一部と係合する係合部と、
一対の被充電用電極を有する充電式移動玩具のディスプレイ台として前記台が使用されているディスプレイ時には前記充電式移動玩具の充電を阻止し、前記充電式移動玩具を充電する充電時にだけ前記一対の充電用電極と前記一対の被充電用電極とを電気的に接続して充電を可能にする充電選択構造とを備えた充電式移動玩具充電装置であって、
前記係合部は、前記充電式移動玩具を前記上壁部に向かって近付ける動作だけで前記充電式移動玩具の一部と係合する構造を有しており、
前記充電選択構造は、
前記係合部を備えて、前記ディスプレイ時には前記上壁部の一部を構成する第１の位置に在り、前記充電時には前記充電式移動玩具を介して加えられる外力によって前記内部空間内の第２の位置に変位させられる可動プレートと、
前記可動プレートが前記第１の位置から前記第２の位置に変位する過程で蓄勢され、前記外力が無くなると放勢されて前記可動プレートを前記第２の位置から前記第１の位置に変位させるバネ部材とを具備しており、
前記充電式移動玩具の前記一部と前記係合部とが前記ディスプレイ時及び前記充電時のいずれにおいても係合状態にあり、また前記ディスプレイ時には前記一対の充電用電極と前記充電式移動玩具の前記一対の被充電用電極とを所定の間隙を介して対向させ且つ前記充電式移動玩具の移動を阻止し、さらに前記充電時には前記一対の充電用電極と前記充電式移動玩具の前記一対の被充電用電極とが接触するように、前記一対の充電用電極の位置と前記可動プレート及び前記係合部の形状とが定められていることを特徴とする充電式移動玩具充電装置。
【請求項２】
前記台の前記上壁部と前記台が置かれている設置面との間にわたって配置される取り外し可能なスロープを更に備えている請求項１に記載の充電式移動玩具充電装置。
【請求項３】
前記係合部は間隔を開けて配置された複数の係合用突出片によって構成されている請求項１に記載の充電式移動玩具充電装置。
【請求項４】
前記複数の係合用突出片には、前記上壁部の上に配置された前記充電式移動玩具の移動方向に延びる第１の係合用突出片と、前記移動方向と交差する交差方向に延びる第２の係合用突出片とが含まれている請求項３に記載の充電式移動玩具充電装置。
【請求項５】
前記第１及び第２の係合用突出片は、充電完了後に前記充電式移動玩具が自力で前記移動方向に移動することを許容するように前記充電式移動玩具の前記一部と係合する形状を有している請求項４に記載の充電式移動玩具充電装置。
【請求項６】
前記一対の充電用電極は前記底壁部に設けられた充電用電極支持部に支持されており、
前記充電用電極支持部には、前記可動プレートが前記第１の位置と前記第２の位置との間を変位する間、前記第１及び第２の係合用突出片の少なくとも一方がスライド可能に係合される被係合部が形成されている請求項４に記載の充電式移動玩具充電装置。
【請求項７】
前記上壁部には前記可動プレートが嵌合される嵌合孔が形成されており、
前記可動プレートは前記嵌合孔を閉じたり開いたりするように、前記上壁部に対して回動可能に片持ち支持されており、
前記可動プレートには前記可動プレートが前記第１の位置に在るときに前記嵌合孔の縁部に係止されて前記可動プレートを前記第１の位置に留める係止片が設けられている請求項１乃至６のいずれか一つに記載の充電式移動玩具充電装置。
【請求項８】
前記可動プレートには、前記可動プレートが前記第１の位置及び前記第２の位置に在るときのいずれにおいても、前記充電用電極支持部が貫通する貫通孔が形成されており、
前記充電用電極支持部に設けられた前記被係合部は前記上壁部側から前記底壁部側に向かって延びるスリットから構成されており、
前記第１の係合用突出片と前記スリットとは、前記可動プレートが前記第１の位置と前記第２の位置との間を変位する間、常に係合状態にあるように構成されている請求項６に記載の充電式移動玩具充電装置。
【請求項９】
底壁部と上壁部との間に充電回路が配置された内部空間を有する台と、
前記台に対して固定されて前記上壁部の表面側から接触可能な状態に配置された一対の充電用電極と、
前記上壁部に設けられて、前記充電式移動玩具の位置決めをするために前記充電式移動玩具の一部と係合する係合部と、
一対の被充電用電極を有する充電式移動玩具のディスプレイ台として前記台が使用されているディスプレイ時には前記充電式移動玩具の充電を阻止し、前記充電式移動玩具を充電する充電時にだけ前記一対の充電用電極と前記一対の被充電用電極とを電気的に接続して充電を可能にする充電選択構造とを備えた充電式移動玩具充電装置であって、
前記係合部は、ディスプレイ時及び充電時のいずれにおいても前記充電式移動玩具の一部と係合する形状を有しており、
前記台の前記上壁部と前記台が置かれている設置面との間にわたって配置される取り外し可能なスロープを更に備えていることを特徴とする充電式移動玩具充電装置。
【発明の詳細な説明】
【０００１】
【発明の属する技術分野】
本発明は、充電式移動玩具の充電装置に関するものである。
【０００２】
【従来の技術】
実開平４−７７９９８号公報の第６図には、板状の可動玩具装着部に充電式の自動車玩具が装着された状態で、充電式の自動車玩具と可動玩具装着部とを一緒に押し下げることにより、固定部に固定された一対の充電用電極と、充電式の自動車玩具に設けられた一対の被充電用電極とを接触させて、自動車玩具内の蓄電池またはコンデンサを充電する従来の充電装置の一例が示されている。この充電装置では、充電完了後に人が自動車玩具から手を離すのと同時に自動車玩具をスタートさせるため、可動玩具装着部が充電装置の設置面に対して傾斜した状態になっている。
【０００３】
また文献には掲載されていないが、充電装置をディスプレイ台として兼用できるようにするために、充電装置に充電式移動玩具を装着しただけの状態では、充電動作が行われず、充電開始スイッチを押している間だけ充電動作が行われるように構成された充電式移動玩具の充電装置も販売されている。
【０００４】
【発明が解決しようとする課題】
前者の充電装置のように、可動玩具装着部を傾斜した状態にする構成を採用すると、充電式移動玩具から手を離したときに、充電式移動玩具が傾斜面に沿って移動してしまうために、充電装置をディスプレイ台として兼用することができない問題がある。
【０００５】
また後者の充電装置では、充電装置をディスプレイ台として兼用することができるものの、別に操作を必要とするスイッチ機構が必要になるだけでなく、スイッチを押している間充電されている充電式移動玩具が勝手に動かないようにするための玩具保持構造を設ける必要がある。そのため充電完了後速やかに充電式移動玩具をプレイフィールド上に移すことができない問題がある。
【０００６】
本発明の目的は、ディスプレイ台として兼用することができ、しかも充電完了後速やかに充電式移動玩具を使用状態に移すことができる充電式移動玩具の充電装置を提供することにある。
【０００７】
本発明の他の目的は、充電装置の台から充電式移動玩具が設置面に下りる際に利用されるスロープの存在が充電装置をディスプレイ台として使用するにディスプレイ台の美観を損ねることがない充電式移動玩具の充電装置を提供することにある。
【０００８】
本発明の他の目的は、ディスプレイ時に充電式移動玩具が台から落ちるのを積極的に防止することができる充電式移動玩具の充電装置を提供することにある。
【０００９】
本発明の別の目的は、充電完了後に充電式移動玩具が自力で移動を開始することを可能にする充電式移動玩具の充電装置を提供することにある。
【００１０】
本発明の他の目的は、充電完了後速やかに充電式移動玩具をプレイフィールド上に移すことができる充電式移動玩具の充電装置を提供することにある。
【００１１】
本発明の更に別の目的は、耐久性の高い充電式移動玩具の充電装置を提供することにある。
【００１２】
本発明の他の目的は、簡単な構造で充電状態と非充電状態とを切り換えることができる充電式移動玩具の充電装置を提供することにある。
【００１３】
【課題を解決するための手段】
本発明の充電式移動玩具の充電装置は、底壁部と上壁部との間に充電回路が配置された内部空間を有する台と、この台に対して固定されて上壁部の表面側から接触可能な状態に配置された一対の充電用電極と、上壁部に設けられて、充電式移動玩具の位置決めをするために充電式移動玩具の一部と係合する係合部と、充電選択構造とを備えている。係合部は、充電式移動玩具が自然に上壁部上を移動するのを阻止するように、充電式移動玩具の一部と係合する。
【００１４】
充電選択構造は、一対の被充電用電極を有する充電式移動玩具のディスプレイ台として台が使用されているディスプレイ時には充電式移動玩具の充電を阻止し、充電式移動玩具を充電する充電時にだけ一対の充電用電極と一対の被充電用電極とを電気的に接続して充電を可能にするように構成されている。
【００１５】
本発明では、充電式移動玩具を上壁部に向かって近付ける動作だけで充電式移動玩具の一部と係合する構造を係合部が有している。なお充電式移動玩具の前記一部も係合部の係合を許容する構造を有しているのは勿論である。そして充電選択構造は、可動プレートとバネ部材とを備えている。可動プレートは、前記係合部を備えて、ディスプレイ時には上壁部の一部を構成する第１の位置に在り、充電時には充電式移動玩具を介して加えられる外力によって台の内部空間内の第２の位置に変位させられる。そしてバネ部材は、可動プレートが第１の位置から第２の位置に変位する過程で蓄勢され、外力が無くなると放勢されて可動プレートを第２の位置から第１の位置に変位させるために用いられる。さらにこの充電選択構造では、充電式移動玩具の一部と係合部とがディスプレイ時及び充電時のいずれにおいても係合状態にあり、またディスプレイ時には一対の充電用電極と充電式移動玩具の一対の被充電用電極とを所定の間隙を介して対向させ且つ充電式移動玩具の移動を阻止し、さらに充電時には一対の充電用電極と充電式移動玩具の一対の被充電用電極とが接触するように、一対の充電用電極の位置と可動プレート及び係合部の形状とが定められている。
【００１６】
本発明によれば、ディスプレイ時には充電式移動玩具の一部と可動プレートに設けた係合部とが係合して、充電式移動玩具の移動を阻止しているため、充電装置をディスプレイ台として兼用することができる。この充電選択構造では、上壁部に装着した充電式移動玩具をプレイヤが手で押し下げて、台の上壁部の一部を構成する可動プレートを第１の位置から第２の位置まで押し下げる動作を行うだけで充電動作に移行することができるので、特別なスイッチ回路を必要としない。また充電時にも、充電式移動玩具の一部と係合部とが係合状態にあるため、充電式移動玩具の位置ずれを防ぐことができて、一対の充電用電極と一対の被充電用電極との接触状態を確実に維持することができる。さらに充電を停止させるときには、充電式移動玩具からプレイヤが手を離すと、バネ部材の力で可動プレートが第２の位置から第１の位置に戻り、スイッチを切る動作を積極的に行うことなく、確実に充電を停止させることができる。また充電後は、充電式移動玩具を台の上壁部から離す動作をするだけで、充電式移動玩具と係合部との係合を解除できるので、すみやかに充電式移動玩具を使用可能な状態にすることができる。
【００１７】
充電後に、充電式移動玩具を台の上壁部から離す動作をしない場合、充電式移動玩具にオンオフスイッチが付いていないときには、充電式移動玩具は上壁部上を移動方向に自力で移動する動作を開始する。そこで台の上壁部と台が置かれている設置面との間にわたって配置される取り外し可能なスロープを更に設ければ、充電後スロープをわたって充電式移動玩具をスムーズに設置面に自力で下すことができる。スロープは固定されていてもよいが、ディスプレイ台として不要な場合には取り外すことができるように、嵌合構造を介して台に取り外し自在に取り付けるのが好ましい。
【００１８】
係合部の構造は任意である。例えば係合部を、間隔を開けて配置された複数の係合用突出片によって構成することができる。係合部を複数の係合用突出片によって構成すると、係合箇所が複数箇所になる分、位置決め精度が上がるだけでなく、各係合用突出片に加わる力を小さくすることができるので、係合部が破損する可能性が低くなり、装置の耐久性が上がる。
【００１９】
複数の係合用突出片を用いて係合を構成する場合には、上壁部の上に配置された充電式移動玩具の移動方向に延びる第１の係合用突出片と、この移動方向と交差する交差方向に延びる第２の係合用突出片とを用いるのが好ましい。これらの係合用突出片を用いると、充電式移動玩具の台への位置決め精度が高くなる。また第２の係合用突出片は充電式移動玩具の移動方向への移動を制限し、第１の係合用突出片は充電式移動玩具の移動方向と交差する交差方向への移動を制限するので、充電式移動玩具がディスプレイ台としての台から落下する危険性がなくなる。
【００２０】
また第１及び第２の係合用突出片を、充電完了後に充電式移動玩具が自力で移動方向に移動することを許容するように充電式移動玩具の一部と係合する形状にしてもよい。このようにすると、充電後に充電式移動玩具から手を離すと、充電式移動玩具は第１及び第２の係合用突出片と充電式移動玩具の一部との係合を自力で解除して、上壁部を移動し始める。前述のスロープを台と組み合わせておけば、充電後自力で充電式移動玩具は台の上か設置面（プレイフィールド）上にスムーズに移動することが可能になる。
【００２１】
一対の充電用電極は底壁部に設けられた充電用電極支持部に支持させることができる。この場合、一対の充電用電極は、ディスプレイ時に上壁部の表面を越える位置にあってもよいし、上壁部の表面と同じ位置にあってもよいし、上壁部の表面よりも下側に位置していてもよい。充電用電極支持部に、可動プレートが第１の位置と第２の位置との間を変位する間、第１及び第２の係合用突出片の少なくとも一方がスライド可能に係合される被係合部を形成しておくのが好ましい。第１及び第２の係合用突出片の少なくとも一方と被係合部とをスライドさせる構造を採用すると、このスライド構造が可動プレートのガイドとして機能するだけでなく、可動プレートに無理な力が加えられたときに可動プレートの変形を防止する機能を発揮する。その結果、装置の耐久性を大幅に向上させることができる。より具体的に構成する場合には、可動プレートが第１の位置及び第２の位置に在るときのいずれにおいても、充電用電極支持部が貫通する貫通孔を、可動プレートに形成しておく。そして充電用電極支持部に設けられた被係合部を上壁部側から底壁部側に向かって延びるスリットから構成する。そして第１の係合用突出片とスリットとを、可動プレートが第１の位置と第２の位置との間を変位する間、常に係合状態にあるように構成する。このような具体的な構成を採用すると、可動プレートをスムーズに回動させることができる。
【００２２】
可動プレートの支持構造は任意である。例えば、上壁部に可動プレートが嵌合される嵌合孔を形成し、可動プレートでこの嵌合孔を閉じたり開いたりできるように、上壁部に対して回動可能に片持ち支持してもよい。この場合には、可動プレートに可動プレートが第１の位置に在るときには嵌合孔の縁部に係止されて可動プレートを第１の位置に留める係止片を設けておく。このようにすると簡単な構造で、しかも少ない部品点数で、可動プレートを第１の位置と第２の位置との間で変位させることができる。
【００２３】
【発明の実施の形態】
以下図面を参照して、本発明の実施の形態を詳細に説明する。図１（Ａ）は、本実施の形態の充電式移動玩具充電装置１の斜視図を示しており、図１（Ｂ）は、図１（Ａ）の実施の形態の充電式移動玩具充電装置１にスロープ３を装着した状態の斜視図を示している。
【００２４】
これらの図において、符号２で示した部材は底壁部５と上壁部７との間に図示しない充電回路が配置された内部空間を有する台である。この台２は、後に詳しく説明するように、上下に組み合わされて台２を構成する下側ケース９と上側ケース１１とから構成されている。下側ケース９については、後に図４を用いて詳細に説明する。上側ケース１１は合成樹脂製であり、矩形状の上壁部７とこの上壁部７から底壁部５に向かって延びる周壁部１３とから構成されている。周壁部１３は、上壁部７から離れるに従って上壁部７と平行な方向に周壁部を切断した横断面形状が広がるように形成されている。周壁部を構成する一つの側面１３ａには、スロープ３を嵌合構造により固定するための嵌合孔１４が形成されている。スロープ３の上端には、図示していないが、嵌合孔１４に嵌合される突起が一体に形成されている。
【００２５】
上壁部７には、スロープ３が設けられる側の辺とは反対側に位置する他の辺側に寄った位置に、後に詳しく説明する可動プレート１５が嵌合される嵌合孔１７が形成されている。可動プレート１５の輪郭は矩形状を呈しており、そして嵌合孔１７の周囲を囲む縁部の一辺に沿って、回動可能に片持ち支持されている。ここで片持ち支持とは、可動プレート１５の１つの辺を中心にして可動プレート１５を上壁部７に対して回動可能に支持することを意味する。図２には、可動プレート１５の拡大斜視図を示してある。また図３（Ａ）及び（Ｂ）には、可動プレート１５の側面図と平面図を示してある。可動プレート１５は、ほぼ板状の形状を有するプレート本体１９を有している。プレート本体１９は、裏面側に向かって突出する２つの軸支持部２１と、この２つの軸支持部２１に一体に形成されてプレート本体１９の一辺１９ａが延びる方向の両側に向かって延びる一対の軸部２３と、プレート本体１９の裏面側に位置してプレート本体１９の辺１９ｂ（辺１９ａと対向する位置にある辺）が延びる方向の両側に突出する一対の係止片２５とを有している。一対の軸部２３は、上壁部７の裏面に設けた図示しない軸受部に回動自在に支持されている。また係止片２５は、嵌合孔１７の縁部に係止されて、可動プレート１５が図１の状態（第１の位置にある状態）から更に上方に（上壁部７の表面よりも上側に）回動するのを阻止するストッパとして機能する。可動プレート１５は一対の軸部２３を中心にして所定の角度範囲を回動する。後に詳しく説明するように、可動プレート１５は、プレート本体１９の表面が上壁部７の表面と面一になる図１の状態即ち第１の位置にある状態（ディスプレイ時の状態）から、台２の内部空間内にある第２の位置（充電時の状態）との間を変位する。
【００２６】
また可動プレート１５は、係止片２５が位置する辺１９ｂに隣接し且つこの辺１９ｂの中央部に対応する位置に、貫通孔２７を有している。この貫通孔２７には、図４（Ａ）乃至（Ｄ）に詳しく示すように、底壁部５に固定された充電用電極支持部２９の先端部分が嵌合されている。充電用電極支持部２９には一対の充電用電極３１，３１が支持されており、一対の充電用電極３１，３１の接点部３３，３３が充電用電極支持部２９の先端に位置して貫通孔２７から露出している。充電用電極支持部２９は、合成樹脂材料により一体に成形されており、底壁部５と直交する方向（上壁部７に向かう方向）に延びる支持部本体３５と、支持部本体３５の両側にあって取り付け用のネジ３６，３６が挿入される貫通孔を有するネジ止め部３７，３７と、バネ部材３９の一端が嵌合される凹部４１を備えたバネ保持部４３とを備えている。支持部本体３５には、その中央部に被係合部を構成するスリット４５が形成され、スリット４５の両側には２つの溝部４７，４７が形成されている。スリット４５は、支持部本体３５の上端面（底壁部５とは反対側の端面）と支持部本体３５の側面（バネ保持部４３が位置する側とは反対側の側面）の両方に向かって開口している。また溝部４７，４７はそれぞれ逆Ｌ字状の縦断面形状を有しており、逆Ｌ字状の一対の充電用電極３１，３１が嵌合されている。一対の充電用電極３１，３１は、接着剤を用いて溝部４７，４７の底部に接合されている。
【００２７】
図４に示すように、下側ケース９は、底壁部５と、底壁部５の表面の四隅に設けられた４本の柱状部６とから構成されている。これら柱状部６は、上側ケース１１と下側ケース９とを嵌合する場合の嵌合部として用いられる。上側ケース１１には、これらの柱状部６に嵌合されて、上側ケース１１と下側ケース９とを結合させるための被嵌合部が形成されている。底壁部５の上にはバッテリと充電回路とが収納されたバッテリ・パック４９が実装されている。なお実際には、バッテリ・パック４９はバッテリの交換が可能なように構成されている。バッテリ・パック４９からは２本のリード線５１，５１が延び出ており、リード線５１，５１の端部は、それぞれ対応する一対の充電用電極３１，３１に半田付け接続されている。
【００２８】
充電用電極支持部２９に形成されたスリット４５には、図１乃至図３に示した第１の係合用突出片５３の内側端縁５４がスライド可能に嵌合される。第１の係合用突出片５３とスリット４５とは、可動プレート１５が第１の位置と第２の位置との間を変位する間、常に係合状態にあるように構成されている。第１の係合用突出片５３は、プレート本体１９に形成された貫通孔２７の内部に一部が位置するようにプレート本体１９と一体に形成されている。第１の係合用突出片５３は、プレート本体１９の板面と直交する方向と辺１９ｂと直交する方向の２方向に延びている。またプレート本体１９は、貫通孔２７を間に挟んで第１の係合用突出片５３と対向する位置に、第２の係合用突出片５５を備えている。第２の係合用突出片５５は、プレート本体１９の板面と直交する方向と辺１９ｂと平行になる方向（第１の係合用突出片５３が延びる方向と直交する方向）に延びている。更にプレート本体１９は、第２の係合用突出片５５と辺１９ｂとの間の位置に平行に並ぶ第３及び第４の係合用突出片５７，５９を備えている。第３及び第４の係合用突出片５７，５９は第１の係合用突出片５３が延びる方向と同じ方向にそれぞれ延びている。
【００２９】
図５に示すように、この台２の上には恐竜、ロボット、自動車等の形状を有する充電式移動玩具６１が置かれる。この充電装置１の台２は、非充電時には充電式移動玩具６１のディスプレイ台として使用される。充電式移動玩具６１は、プレイフィールド上を電動モータの力を利用して走行するための走行機構と、電動モータの電源として用いられる二次電池またはコンデンサ等からなる蓄電手段とを内蔵している。係合部を構成する第１乃至第４の係合用突出片５３，５５，５７，５９は、充電式移動玩具６１の底面側に設けられた玩具側被係合部と係合して、充電式移動玩具６１が台２の上壁部７上から落ちるのを阻止している。
【００３０】
図６は充電式移動玩具６１の底面側に設けた走行機構の一部と玩具側被係合部の構成を示す図である。なお図６には充電式移動玩具６１の玩具本体の図示は省略してある。充電式移動玩具６１の前方の２本の足部６３，６５の底部には回転自在に車輪６７，６９が支持されている。そして２本の足部６３，６５の後方側に位置する玩具本体の底部には、合成樹脂製の成形体７１が配置されている。この成形体７１は、上下方向に開口部を有する枠体７３と、この枠体７３の幅方向の両側に一体に設けられた一対の張り出し部７５及び７７と、枠体７３の後方側（矢印で図示する玩具の移動方向の後方側）に一体に設けられた電極支持部７９とを備えている。枠体７３の内部には、図示しない電動モータの駆動力で回転する駆動輪８１が回転自在に支持されている。一対の張り出し部７５及び７７は、玩具本体が玩具の移動方向の両側に大きく傾くのを防止するために設けられている。電極支持部７９には、図示しない蓄電手段に電気的に接続された一対の被充電用電極８３，８３が固定されている。そして一対の被充電用電極８３，８３の間には、第１の係合用突出片５３の先端部が嵌合される第１の溝８５が形成されている。この第１の溝８５は、移動方向とは反対側の方向と底面側とに向かって開口している。したがって充電式移動玩具６１が移動方向に移動する際には、第１の係合用突出片５３は、充電式移動玩具６１の移動を阻止することがない。また電極支持部７９の枠体７３側の基部には、第１の溝８５と直交する方向に延びる第２の溝８７が形成されている。この第２の溝８７は、第２の溝８７が延びる方向の両側と底面側に向かって開口している。この第２の溝８７には第２の係合用突出片５５の先端部が緩く嵌合される。第２の係合用突出片５５と第２の溝８７との係合により、充電式移動玩具６１の移動方向への移動を制限し、第１の係合用突出片５３と第２の溝８５との係合により、充電式移動玩具６１の移動方向と交差する（直交する）交差方向（直交方向）への移動を制限している。第２の係合用突出片５５と第２の溝８７との係合状態は、充電完了後に充電式移動玩具６１が自力で移動方向に移動しようとすると、係合が解除されて充電式移動玩具が移動方向に移動するのを許容する程度に定められている。第３及び第４の係合用突出片５７及び５９は、枠体７３を間に挟むようにして成形体７１と係合する。上記の構成を採用すると、ディスプレイ状態及び充電状態のいずれにもおいても充電式移動玩具の位置決めを確実なものとすることができる上、ディスプレイ状態から充電状態そして移動状態へとスムーズに移行することができる。
【００３１】
図７に示すように、本実施の形態においては、可動プレート１５，バネ部材３９，充電用電極支持部２９，第１の係合用突出片５３等により充電選択構造９０が構成されている。充電選択構造９０は、一対の被充電用電極８３を有する充電式移動玩具６１のディスプレイ台として台２が使用されているディスプレイ時には、充電式移動玩具６１の充電を阻止し、充電式移動玩具６１を充電する充電時にだけ一対の充電用電極３１と一対の被充電用電極８３とを電気的に接続して充電を可能にするように構成されている。可動プレート１５は、ディスプレイ時には上壁部７の一部を構成する第１の位置に在り、充電時には充電式移動玩具６１を介して加えられる外力によって台２の内部空間内の第２の位置に変位させられる。そしてバネ部材３９は、可動プレート１５が第１の位置から第２の位置に変位する過程で蓄勢され、外力が無くなると放勢されて可動プレート１５を第２の位置から第１の位置に変位させる。より具体的には、この充電選択構造９０は、充電式移動玩具６１の一部と係合部（５３，５５，５７，５９）とがディスプレイ時及び充電時のいずれにおいても係合状態にあり、またディスプレイ時には一対の充電用電極３１と充電式移動玩具６１の一対の被充電用電極８３とを所定の間隙を介して対向させ且つ充電式移動玩具６１の移動を阻止し、さらに充電時には一対の充電用電極と充電式移動玩具の一対の被充電用電極とが接触するように、一対の充電用電極３１の位置と可動プレート１５及び係合部（５３，５５，５７，５９）の形状とが定められている。
【００３２】
充電を行う場合には、図７（Ａ）に示すように充電式移動玩具６１の底部に設けた成形体７１が可動プレート１５上に置かれる。このとき第１乃至第４の係合用突出片（５３，５５，５７，５９）はすべて充電式移動玩具６１の溝８５，８７等と係合している。このときには一対の充電用電極３１と一対の被充電用電極８３とは所定の間隙を介して対向している。次に図７（Ｂ）に示すように、充電式移動玩具６１を押し下げて可動プレート１５を第１の位置から第２の位置に変位させる。可動プレート１５が第２の位置に達すると、一対の充電用電極３１と一対の被充電用電極８３とが接触して、充電が開始される。充電が完了した後は、図７（Ｃ）に示すように、充電式移動玩具６１から手を離して外力を取り除く。このようにすると、充電された充電式移動玩具６１は自力で移動方向に移動を開始し、充電式移動玩具６１は台２の上壁部７を移動する。
【００３３】
また、図８（Ａ）に示すように台２にスロープ３を設けておけば、図８（Ｂ）に示すように充電式移動玩具６１は台２の上からスロープ３を通って設置面へ降りていく。
【００３４】
スロープ３を用いない場合には、充電完了後に充電式移動玩具６１を台２から引き離して設置面（プレイフィールド）上に置けばよい。
【００３５】
【発明の効果】
本発明によれば、ディスプレイ時には充電式移動玩具の一部と可動プレートに設けた係合部とが係合して、充電式移動玩具の移動を阻止しているため、充電装置をディスプレイ台として兼用することができる利点がある。また上壁部に装着した充電式移動玩具をプレイヤが手で押し下げて、台の上壁部の一部を構成する可動プレートを第１の位置から第２の位置まで押し下げる動作を行うだけで、充電動作に移行することができるので、充電開始のために特別なスイッチ回路を必要としない利点が得られる。更に充電時にも、充電式移動玩具の一部と係合部とが係合状態にあるため、充電式移動玩具の位置ずれを防ぐことができて、一対の充電用電極と一対の被充電用電極との接触状態を確実に維持することができる利点が得られる。また充電を停止させるときには、充電式移動玩具からプレイヤが手を離すと、バネ部材の力で可動プレートが第２の位置から第１の位置に戻って、スイッチを切る動作を積極的に行うことなく、確実に充電を停止させることができ、充電後は、充電式移動玩具を台の上壁部から離す動作をするだけで、充電式移動玩具と係合部との係合を解除できるので、すみやかに充電式移動玩具を使用可能な状態にすることができる利点が得られる。また台にスロープを組み合わせると、充電完了後に速やかに充電式移動玩具をプレイフィールド上に移すことができる利点が得られる。
【図面の簡単な説明】
【図１】（Ａ）は本実施の形態の充電式移動玩具充電装置の斜視図を示しており、（Ｂ）は図１（Ａ）の実施の形態の充電式移動玩具充電装置にスロープを装着した状態の斜視図である。
【図２】可動プレートの拡大斜視図である。
【図３】（Ａ）及び（Ｂ）は、可動プレートの側面図及び平面図である。
【図４】（Ａ）乃至（Ｄ）は、下側ケースの斜視図、平面図、右側面図及び正面図である。
【図５】充電式移動玩具充電装置がディスプレイ台として使用されている状態を示す斜視図である。
【図６】充電式移動玩具の底面側に設けた走行機構の一部と玩具側被係合部の構成を示す図である。
【図７】（Ａ）乃至（Ｃ）は、充電選択構造の動作を説明するために用いる図である。
【図８】（Ａ）はスロープ付きの充電式移動玩具充電装置の斜視図であり、（Ｂ）は充電式移動玩具が移動する状態を示す斜視図である。
【符号の説明】
１　充電式移動玩具充電装置
２　台
３　スロープ
５　底壁部
７　上壁部
９　下側ケース
１１　上側ケース
１５　可動プレート
１９　プレート本体
２５　係止片
２７　貫通孔
２９　充電用電極支持部
３１　充電用電極
３９　バネ部材
４５　スリット
５３　第１の係合用突出片
５５　第２の係合用突出片
５７　第３の係合用突出片
５９　第４の係合用突出片
６１　充電式移動玩具
８３　被充電用電極
９０　充電選択構造
【図１】
2004147367.tif 000003
【図２】
2004147367.tif 000004
【図３】
2004147367.tif 000005
【図４】
2004147367.tif 000006
【図５】
2004147367.tif 000007
【図６】
2004147367.tif 000008
【図７】
2004147367.tif 000009
【図８】
2004147367.tif 000010